(57)【要約】      （修正有）【課題】手袋をしたままタッチパネルを操作することを可能とする。【解決手段】タッチパネル操作用液は、少なくとも１種の界面活性剤、及び少なくとも１種の高分子ポリマーを含み、手袋に塗布することで当該手袋を着用したまま静電容量式タッチパネルの操作を可能とする。タッチパネル操作用液塗布具は、タッチパネル操作用液と、タッチパネル操作用液を貯留する貯留部、及びタッチパネル操作用液を塗布するための塗布手段を有する容器と、を備える。【選択図】なし【特許請求の範囲】
【請求項１】
少なくとも１種の界面活性剤、及び少なくとも１種の高分子ポリマーを含み、手袋に塗布することで当該手袋を着用したまま静電容量式タッチパネルの操作を可能とするタッチパネル操作用液。
【請求項２】
前記界面活性剤は、ポリオキシエチレンアルキルエーテル、脂肪酸ソルビタンエステル、アルキルポリグルコシド、脂肪酸ジエタノールアミド、及びアルキルモノグリセリルエーテルからなる群より選ばれた少なくとも１種からなる非イオン性界面活性剤を含む請求項１に記載のタッチパネル操作用液。
【請求項３】
前記高分子ポリマーは、有機天然高分子ポリマーである請求項１又は請求項２に記載のタッチパネル操作用液。
【請求項４】
請求項１から請求項３のいずれか１項に記載のタッチパネル操作用液と、
前記タッチパネル操作用液を貯留する貯留部、及び前記タッチパネル操作用液を塗布するための塗布手段を有する容器と、
を備えるタッチパネル操作用液塗布具。
【発明の詳細な説明】
【技術分野】
【０００１】
この発明は、手袋を着用したまま静電容量式タッチパネルを操作することを可能にするタッチパネル操作用液、及びその塗布具に関する。
【背景技術】
【０００２】
近年、タッチパネル式のディスプレーが普及し、中でも多点検出により複雑な操作を可能にした静電容量式のタッチパネルは、いわゆるスマートフォンやタブレット式の携帯端末等、多方面に用途を拡大している。
【０００３】
ところが、この静電容量式のタッチパネルは、指でパネル表面に触れたときに生じる電荷の変化を検出することにより指で触れた位置を検出するものであるため、導電性の無い手袋を着用した状態では、操作することができない。
【０００４】
そこで、手袋の指先に導電性を有する糸や樹脂等を具備させ、手袋をした状態でも静電容量式のタッチパネルが操作できる静電容量式タッチパネル操作用手袋が提案されている（特許文献１参照）。
【先行技術文献】
【特許文献】
【０００５】
【特許文献１】特開２００８−８１８９６号公報
【発明の概要】
【発明が解決しようとする課題】
【０００６】
しかし、指先のみ導電性を有する糸で編成することや、長期間導電性が失われない程度に導電性の樹脂や塗料を糸に付着させておくことはコスト高となるため、例えば工場や建築現場等で使用する使い捨ての軍手や皮手袋には使えないという問題が有る。
本発明は、上記課題に鑑みてなされたものであり、軍手や皮手袋を着用したまま静電容量式のタッチパネルを操作することを可能にするタッチパネル操作用液及びその塗布具の提供を目的とする。
【課題を解決するための手段】
【０００７】
上記課題を解決するためになされた発明は、少なくとも１種の界面活性剤、及び少なくとも１種の高分子ポリマーを含み、手袋に塗布することで当該手袋を着用したまま静電容量式タッチパネルの操作を可能とするタッチパネル操作用液である。
【０００８】
本発明に係るタッチパネル操作用液によれば、手袋に塗布した際に、界面活性剤が指先から静電気を吸着してタッチパネル側へ放出することでタッチパネル表面の電位を変化させるため、手袋を着用したままタッチパネルの操作を行うことが可能となる。また、界面活性剤が、人の指や吸気中から水分を呼び寄せたり、もともとタッチパネル操作用液中に水分が含まれる場合には当該水分を保持したりすることによっても、静電気を指からタッチパネルへ伝達する効果を高めることができる。さらに、高分子ポリマーを含むことにより、操作用液を塗布した後タッチパネルを操作できる時間を長くすることができる。
【０００９】
前記界面活性剤は、ポリオキシエチレンアルキルエーテル、脂肪酸ソルビタンエステル、アルキルポリグルコシド、脂肪酸ジエタノールアミド、及びアルキルモノグリセリルエーテルからなる群より選ばれた少なくとも１種からなる非イオン性界面活性剤を含むことが好ましい。こうすることで、界面活性剤の保湿性が高まるため、より効果的に指先からタッチパネルへと静電気を伝達することが可能となる。
【００１０】
前記高分子ポリマーは、有機天然高分子ポリマーであることが好ましい。これにより、タッチパネル操作用液の安全性を高めることができる。
【００１１】
本発明は、前記のタッチパネル操作用液と、前記タッチパネル操作用液を貯留する貯留部、及び前記タッチパネル操作用液を塗布するための塗布手段を有する容器と、を備えるタッチパネル操作用液塗布具を含む。
【発明の効果】
【００１２】
以上説明したように、本発明のタッチパネル操作用液及び塗布具によれば、操作用液を手袋や絆創膏等に塗布するだけで、手袋等を着用したまま静電容量式のタッチパネルの操作をすることができる。
【発明を実施するための形態】
【００１３】
以下、本発明一の実施の形態に係るタッチパネル操作用液及びその塗布具について詳述する。
本発明のタッチパネル操作用液Ａは、少なくとも１種の界面活性剤Ｂ、及び少なくとも１種の高分子ポリマーＣを含み、本発明のタッチパネル操作用液塗布具は、タッチパネル操作用液Ａの貯留部及び塗布手段を備えている。
尚、本発明のタッチパネル操作用液及びタッチパネル操作用液塗布具は、以下の実施の形態に限られるものではない。
【００１４】
＜タッチパネル操作用液Ａ＞
タッチパネル操作用液Ａは、界面活性剤Ｂ及び高分子ポリマーＣを主に含有する他に、香料Ｄ、又は水Ｗを含有してもよい。
【００１５】
＜界面活性剤Ｂ＞
界面活性剤Ｂとしては、非イオン系、陽イオン系、両性イオン系の界面活性剤を適宜用いることができる。非イオン系界面活性剤としては、ポリオキシエチレンアルキルエーテや脂肪酸ソルビタンエステル、アルキルポリグルコシド、脂肪酸字エタノールアミド、アルキルモノグリセリルエーテル等を用いることができる。
【００１６】
陽イオン系界面活性剤としては、アルキルトリメチルアンモニウム塩、ジアルキルジメチルアンモニウム塩、アルキルベンジルジメチルアンモニウム塩等を用いることができる。
【００１７】
両性イオン系の界面活性剤としては、アルキルジメチルアミンオキシド、アルキルカルボキシベタイン等を用いることができる。
【００１８】
これらの界面活性剤のうち、非イオン系の界面活性剤が保湿性に優れる点で好ましく、ポリオキシエチレンアルキルエーテルが特に好ましい。
【００１９】
＜高分子ポリマーＣ＞
高分子ポリマーＣとしては、タンパク質や核酸、脂質、多糖類、天然ゴム等の有機天然高分子、ポリ塩化ビニルやポリエチレン、フェノール樹脂等の合成樹脂、シリコンゴムやシリコンオイル等の有機合成高分子、二酸化ケイ素（水晶や石英等）や雲母、長石、石綿などの無機天然高分子、ガラスや合成ルビー等の無期合成高分子を用いることができ、安全性の観点から、有機天然高分子が好ましい。有機天然高分子としては、例えば、キサンタンガム（多糖類）を挙げることができる。
【００２０】
＜香料Ｄ＞
香料Ｄしては、天然に存在する香りある植物や動物から、蒸留、抽出、圧搾等の分離操作により取り出した天然香料、例えば、バラ油、ジャスミン油、ネロリ油、ラベンダー油、クローブ油、ペッパー油、ムスク油等が挙げられ、合成香料として、リモネン、リナノール、シトラール等が挙げられる。
【００２１】
＜塗布具＞
本発明に係るタッチパネル操作用液塗布具は、タッチパネル操作用液Ａを貯留する貯留部と、タッチパネル操作用液を手袋や絆創膏等に塗布する塗布手段を有している。塗布手段としては、スプレー式やローラー式、ボール式、スポンジ式、点眼式等の公知の塗布手段を適宜採用することができる。スプレー式の塗布手段としては、ハンドスプレー型やアトマイザー型、エアゾール型等を適宜用いることができる。容器は、携帯用ストラップや、スマートフォン用カバーを兼ねていてもよい。塗布部に指を入れる孔を設け、当該孔に指先を入れることにより、指先にスプレーやローラー、ボール、スポンジ等で指先にタッチパネル操作用液が塗布されるようにすると、片手でタッチパネル操作用液を塗布することができる。インク内蔵式スタンプのように、塗布手段をスタンプ式にすることもできる。
【実施例】
【００２２】
以下に実施例を示して本発明をさらに具体的に説明するが、本発明は以下の実施例に限定されるものではない。
【００２３】
（実施例１）
界面活性剤Ｂとして、非イオン系界面活性剤のポリオキシエチレンアルキルエーテルを１００重量部、高分子ポリマーＣとして、有機天然高分子ポリマーのキサンタンガム（多糖類）を２０重量部及び水Ｗを３００重量部混合してタッチパネル操作用液Ａを得た。これを点眼式の塗布手段を備える容器にて綿製の軍手に塗布し、１時間ごとにタッチパネルの操作を行い操作が可能か実験した。
【００２４】
（実施例２〜４）
実施例１のポリオキシエチレンアルキルエーテルの代わりに陰イオン性界面活性剤のアルキル硫酸トリエタノールアミン、陽イオン性界面活性剤のジアルキルジメチルアンモニウムクロリド、両性イオン性界面活性剤のアルキルカルボキシベタインを１００重量部混合して、それぞれタッチパネル操作用液Ａを得た。実施例１と同様にタッチパネルの操作可能時間を実験した。
【００２５】
（比較例１）
界面活性剤Ｂとして、非イオン系界面活性剤のポリオキシエチレンアルキルエーテルを１００重量部、水Ｗを３２５重量部混合してタッチパネル操作用液Ａを得た。これを実施例１と同様に点眼式の塗布手段を備える容器にて綿製の軍手に塗布し、１時間ごとにタッチパネルの操作が可能か実験した。
【００２６】
（比較例２〜４）
比較例１のポリオキシエチレンアルキルエーテルの代わりに陰イオン性界面活性剤のアルキル硫酸トリエタノールアミン、陽イオン性界面活性剤のジアルキルジメチルアンモニウムクロリド、両性イオン性界面活性剤のアルキルカルボキシベタインを１００重量部混合して、それぞれタッチパネル操作用液Ａを得た。実施例１と同様に１時間ごとにタッチパネルの操作が可能か実験した。
【００２７】
（比較例５）
水Ｗを実施例１から４及び比較例１から４と同様、綿布製軍手に塗布してタッチパネルの操作可能時間を計測した。
【００２８】
実施例１から４まで、及び比較例１から５までの実験結果を表１に示す。
【表１】
2014047256.tif 000002
【００２９】
表１に示すように、比較例１から４の水に界面活性剤のみを加え、高分子ポリマーを加えなかった液では、タッチパネルの操作可能時間がいずれも３時間以下と短かったのに対し、実施例１から４の高分子ポリマーを加えたものでは、いずれも操作可能時間が３時間以上と長かった。中でも、界面活性剤としてポリオキシエチレンアルキルエーテル（非イオン性界面活性剤）を用いたものでは、操作可能時間が２４時間以上と極めて長かった。
【産業上の利用可能性】
【００３０】
本発明のタッチパネル操作用液及びタッチパネル操作用液塗布具は、塗布液を手袋等に浸透させることさえ出来ればタッチパネルの操作が可能となるため、各種の布製手袋や革製手袋に好適に採用することができる。